(57)【要約】【課題】専門知識を有さない者であっても、設置時の設定を容易に行うことを可能とする。【解決手段】照射された放射線から画像を生成する放射線画像撮影装置において、無線通信を行う情報処理装置と直接無線通信を行い、前記情報処理装置から送信された、設置に際して所定の設定を行うための設置設定情報を受信する通信部と、前記通信部により受信した前記設置設定情報に従い、当該放射線画像撮影装置の設定を行う設定部と、を備える。【選択図】図２
2020185367.tif 000002
【特許請求の範囲】
【請求項１】
照射された放射線から画像を生成する放射線画像撮影装置において、
無線通信を行う情報処理装置と直接無線通信を行い、前記情報処理装置から送信された、設置に際して所定の設定を行うための設置設定情報を受信する通信部と、
前記通信部により受信した前記設置設定情報に従い、当該放射線画像撮影装置の設定を行う設定部と、
を備えることを特徴とする放射線画像撮影装置。
【請求項２】
前記通信部により前記情報処理装置から情報を受信すると、前記設定部による設置時の設定が完了しているか否かを判断する判断部を備えることを特徴とする請求項１に記載の放射線画像撮影装置。
【請求項３】
前記判断部は、予め定められた全項目の設定が終了している場合、前記設定部による設置時の設定が完了していると判断することを特徴とする請求項２に記載の放射線画像撮影装置。
【請求項４】
前記判断部は、前記設定部による設置時の設定が完了していないと判断した場合、前記情報処理装置から受信した情報が、前記放射線画像撮影装置の設置時の設定に関する情報か否かを判断し、前記設置時の設定に関する情報でないと判断した場合は、前記情報処理装置との無線接続を許可しないことを特徴とする請求項２又は３に記載の放射線画像撮影装置。
【請求項５】
前記判断部は、前記設定部による設置時の設定が完了していないと判断した場合、情報を送信した前記情報処理装置が、前記放射線画像撮影装置の設定を実行中の装置であるか否かを判断し、前記放射線画像撮影装置の設定を実行中の装置でないと判断した場合は、当該装置との無線接続を許可しないことを特徴とする請求項２から４のいずれか一項に記載の放射線画像撮影装置。
【請求項６】
無線通信における親機として動作可能なアクセスポイント機能を備え、
前記情報処理装置は、無線通信における子機として動作可能であることを特徴とする請求項１から５のいずれか一項に記載の放射線画像撮影装置。
【請求項７】
前記設定部による設置時の設定が完了した後、前記設置設定情報に従って、当該放射線画像撮影装置の動作モードを、前記親機として動作するモード、他の親機に対する子機として動作するモード、或いは、無線通信が無効なモードのいずれかに設定するモード設定部を備えることを特徴とする請求項６に記載の放射線画像撮影装置。
【請求項８】
設置に際して所定の設定が行われて用いられる電子機器において、
無線通信を行う情報処理装置と直接無線通信を行い、前記情報処理装置から送信された、設置に際して所定の設定を行うための設置設定情報を受信する通信部と、
前記通信部により受信した前記設置設定情報に従い、当該電子機器の設定を行う設定部と、
を備えることを特徴とする電子機器。
【請求項９】
照射された放射線から画像を生成する放射線画像撮影装置と、情報処理装置と、が無線通信により接続可能な無線通信システムにおいて、
前記放射線画像撮影装置は、
前記情報処理装置と直接無線通信を行い、前記情報処理装置から送信された、設置に際して所定の設定を行うための設置設定情報を受信する通信部と、
前記通信部により受信した前記設置設定情報に従い、当該放射線画像撮影装置の設定を行う設定部と、
を備えることを特徴とする無線通信システム。
【請求項１０】
照射された放射線から画像を生成する放射線画像撮影装置のコンピューターを、
無線通信を行う情報処理装置と直接無線通信を行い、前記情報処理装置から送信された、設置に際して所定の設定を行うための設置設定情報を受信する通信部、
前記通信部により受信した前記設置設定情報に従い、当該放射線画像撮影装置の設定を行う設定部、
として機能させるためのプログラム。
【発明の詳細な説明】
【技術分野】
【０００１】
本発明は、放射線画像撮影装置、電子機器、無線通信システム及びプログラムに関する。
【背景技術】
【０００２】
近年、クリニックや途上国の医療現場といった小規模な現場における、Ｘ線画像撮影装置（ＤＲ：Digital Radiography）システムの使用が拡大している。
ＤＲシステムとしては、複数の機器が無線通信によって接続されたものが知られているが、使用環境の拡大に伴って、無線通信の状況が悪い場合でも機器間で通信を可能とするための技術の開発が進んでいる。例えば、特許文献１には、撮影装置にアクセスポイントの親機としての機能を持たせ、他の撮影装置（子機）からの中継機とさせることを可能とする技術が提案されている。
【先行技術文献】
【特許文献】
【０００３】
【特許文献１】特開２０１７−６４２７号公報
【発明の概要】
【発明が解決しようとする課題】
【０００４】
ところで、一般的に、撮影装置を新たに設置する場合、多様なネットワーク環境に対応するため、また、複雑かつ煩雑な設置手順を履行するため、専門知識を有するサービスマンにより設定作業が行われている。
【０００５】
しかしながら、クリニックや途上国では、システム規模が小さいため、従来の複雑な設置設定手順が必要となる要素は限られている。また、展開施設数の増加や辺境地への設置など、設置設定の作業時間よりも現場訪問に要する時間が多くなると考えられる。さらに、故障等に際して専門のサービスマンを呼ばなければならないと、運用上手間がかかる。
このような理由から、撮影装置の設置時の設定を、専門知識を有さない者であっても、容易に行いたいという要望が高まっている。
【０００６】
本発明の課題は、専門知識を有さない者であっても、設置時の設定を容易に行うことを可能とする放射線画像撮影装置、電子機器、無線通信システム及びプログラムを提供することである。
【課題を解決するための手段】
【０００７】
上記課題を解決するため、本発明の放射線画像撮影装置は、
照射された放射線から画像を生成する放射線画像撮影装置において、
無線通信を行う情報処理装置と直接無線通信を行い、前記情報処理装置から送信された、設置に際して所定の設定を行うための設置設定情報を受信する通信部と、
前記通信部により受信した前記設置設定情報に従い、当該放射線画像撮影装置の設定を行う設定部と、
を備えることを特徴とする。
【０００８】
また、本発明の電子機器は、
設置に際して所定の設定が行われて用いられる電子機器において、
無線通信を行う情報処理装置と直接無線通信を行い、前記情報処理装置から送信された、設置に際して所定の設定を行うための設置設定情報を受信する通信部と、
前記通信部により受信した前記設置設定情報に従い、当該電子機器の設定を行う設定部と、
を備えることを特徴とする。
【０００９】
また、本発明の無線通信システムは、
照射された放射線から画像を生成する放射線画像撮影装置と、情報処理装置と、が無線通信により接続可能な無線通信システムにおいて、
前記放射線画像撮影装置は、
前記情報処理装置と直接無線通信を行い、前記情報処理装置から送信された、設置に際して所定の設定を行うための設置設定情報を受信する通信部と、
前記通信部により受信した前記設置設定情報に従い、当該放射線画像撮影装置の設定を行う設定部と、
を備えることを特徴とする。
【００１０】
また、本発明のプログラムは、
照射された放射線から画像を生成する放射線画像撮影装置のコンピューターを、
無線通信を行う情報処理装置と直接無線通信を行い、前記情報処理装置から送信された、設置に際して所定の設定を行うための設置設定情報を受信する通信部、
前記通信部により受信した前記設置設定情報に従い、当該放射線画像撮影装置の設定を行う設定部、
として機能させるためのプログラムである。
【発明の効果】
【００１１】
本発明によれば、専門知識を有さない者であっても、設置時の設定を容易に行うことが可能となる。
【図面の簡単な説明】
【００１２】
【図１】放射線検出システムの概略構成を示す図である。
【図２】放射線画像撮影装置の構成を示すブロック図である。
【図３】端末装置の構成を示すブロック図である。
【図４】撮影装置の設置時の設定動作を示すフローチャートである。
【図５】他の態様の放射線検出システムの概略構成を示す図である。
【発明を実施するための形態】
【００１３】
以下、本発明の実施の形態について、図面を参照しながら説明する。ただし、本発明の技術的範囲は、図面に例示したものに限定されるものではない。
【００１４】
〔放射線検出システム〕
まず、本実施の形態の無線通信システムとしての放射線検出システム１００の概略について説明する。図１は、放射線検出システム１００の概略構成を表すブロック図である。
【００１５】
放射線検出システム１００は、図１に示すように、放射線画像撮影装置（以下、撮影装置という）１０と、情報処理装置としての端末装置２０と、コンソール３０と、を備えて構成されている。
【００１６】
撮影装置１０は、例えば、照射装置（図示省略）により発生・照射されたＸ線等の放射線に基づく放射線画像の画像データを生成する、パネル状の装置である。
また、端末装置２０は、例えば、撮影装置１０の設置時の設定（以下「設置設定」ということもある）の作業を行うユーザー等が使用する携帯端末装置である。
本実施の形態において、撮影装置１０は親機として動作可能なアクセスポイント機能を備え、端末装置２０は子機として動作可能であり、撮影装置１０と端末装置２０は、例えば、Ｗｉ−Ｆｉ（登録商標）により直接無線通信を行うことが可能である。また、撮影装置１０と端末装置２０は、ブルートゥース（登録商標）により直接無線通信を行うことも可能である。なお、端末装置２０は有線通信機能を備え、有線を無線に変換する装置を経由して撮影装置１０に接続する構成とすることもできる。そして、端末装置２０により、撮影装置１０の設置設定を行うことが可能となっている。
また、コンソール３０は、ＰＣ（Personal Computer）や専用の装置等で構成され、ユーザー等が、撮影装置１０に対して各種撮影条件（撮影部位、撮影方向、照射時間等）の設定、撮影開始・終了などの指示を行うことが可能な装置である。
【００１７】
〔放射線画像撮影装置〕
次に、撮影装置１０の詳細について説明する。図２は、撮影装置１０の構成を示すブロック図である。
撮影装置１０は、図２に示すように、パネル制御部（設定部、判断部、モード設定部）１１、放射線検出部１２、読出し部１３、通信部１４、記憶部１５等を備えて構成されており、各部１１〜１５はバス１６によって接続されている。
【００１８】
パネル制御部１１は、ＣＰＵ（Central Processing Unit）、ＲＡＭ（Random Access Memory）等で撮影装置１０の各部の動作を統括的に制御するように構成されている。
具体的には、パネル制御部１１は、端末装置２０からの指示信号を受信したことを契機として、記憶部１５に記憶されている各種処理プログラムを読み出してＲＡＭに展開し、当該処理プログラムに従って、当該撮影装置１０の設置設定処理を実行する。
また、撮影装置１０の設置設定がなされた後には、パネル制御部１１は、電源スイッチが入れられたことや、照射装置（図示省略）やコンソール３０から所定の制御信号を受信したこと、照射装置から放射線を受けたこと等を契機として、記憶部１５に記憶されている各種処理プログラムを読み出してＲＡＭに展開し、当該処理プログラムに従って、放射線画像の画像データを生成する等の処理を実行する。
【００１９】
放射線検出部１２は、放射線の線量に応じた量の電荷を直接的又は間接的に生成する放射線検出素子、及び各放射線検出素子と配線との間に設けられ放射線検出素子と配線との間の通電が可能なオン状態又は通電が不能なオフ状態に切り替え可能なスイッチ素子を有する複数の画素が二次元状に配列された基板を有するものであればよく、従来公知のものを用いることができる。
すなわち、撮影装置１０は、シンチレーターを備え、シンチレーターが放射線を受けることで発した光を検知するいわゆる間接型のものであってもよいし、シンチレーター等を介さずに放射線を直接検知するいわゆる直接型のものであってもよい。
【００２０】
読出し部１３は、複数の放射線検知素子にそれぞれ蓄積された電荷量を信号値として読み出すことが可能に構成されていればよく、従来公知のものを用いることができる。
【００２１】
通信部１４は、無線通信インターフェースを備え、ＬＡＮ（Local Area Network）、ＷＡＮ（Wide Area Network）、インターネット等の通信ネットワークを介して接続された外部装置（端末装置２０など）との間でデータの送受信を行う。
【００２２】
記憶部１５は、ＨＤＤ（Hard Disk Drive）や半導体メモリー等により構成され、各種画像処理プログラムを含む各種処理プログラム、当該プログラムの実行に必要なパラメーターやファイル等を記憶している。
具体的に、記憶部１５には、当該撮影装置１０の設置状態を示す設置設定情報が記憶されている。
設置設定情報は、予め定められた一乃至複数の項目を含み、各項目に対して、当該項目の設定が終了／未終了を判断可能となっている。これは、例えば、「終了フラグ」／「未終了フラグ」のようなフラグを用いたり、特定の値が入力されていたり、特定の項目群全てが設定終了しているかどうかで判断したりすることで実現される。なお、設定終了を判断可能であれば本実施形態に限定されることない。
【００２３】
具体的に、設置設定情報に含まれる項目としては、例えば、「ＩＰアドレス」、「コンソールに表示するパネルアイコンの表示名」、「コンソールに表示するパネルアイコンの背景色」、「自動電源ＯＮ／ＯＦＦ機能の有効・無効」、「無線ＬＡＮ動作設定（親機／子機）」、「無線ＬＡＮ子機設定（ＳＳＩＤ／パスフレーズ）」、「無線ＬＡＮ親機設定（ＳＳＩＤ／パスフレーズ／無線チャネル）」、「モード切替ボタン設定（メモリ撮影有効／無効など）」、「ゲイン補正や欠陥補正の補正用データ（パネルの個体差を補正するための補正係数（例えば、ゲイン補正や欠陥補正のための補正係数）も含む）」、「撮影モード設定（連携/非連携）」、「ライセンス情報（パネル自身の使用ライセンスの有無、撮影関連ライセンスの種別、有効期限）」、「制限設定１（照射回数上限、照射線量上限、上限オーバー時のアラート出力要否設定）」、「制限設定２（充電残量の閾値、閾値オーバー時の挙動設定）」、「パネル自身が有する表示部の表示色」、「所属するコンソールの情報（ＰＣ名、コンソールソフトバージョン、ネットワークＩＤ）」、「データ通信時の暗号化設定（暗号化/複合化の種類、暗号化キー、証明書）」、「撮影室などの使用場所、設置場所、設定された場所から離れたときのアラート出力要否設定」、「省電力モード」などが挙げられる。
【００２４】
なお、「コンソールに表示するパネルアイコンの表示名」は、複数コンソールでパネル（撮影装置）を共有する場合に、同じ表示をするためパネル（撮影装置）に記憶されている。また、「コンソールに表示するパネルアイコンの背景色」も、複数コンソールでパネル（撮影装置）を共有する場合に、同じ表示をするためパネル（撮影装置）に記憶されている。
また、「コンソールに表示するパネルアイコンの表示名」および「コンソールに表示するパネルアイコンの背景色」は、上記したようにパネルに記録されている構成以外にも、コンソールに記録されても良いし、コンソール・パネルのそれぞれに記憶されても良い。
【００２５】
上記した設置設定情報に含まれる項目は、例えば、「通信設定に関する項目」、「施設設置環境に起因する項目」、「撮影に関連した項目」及び「操作性や安全性(セキュリティ)、保守性等に関する設定項目」に組分けすることが可能である。
なお、組分けの仕方としてはここに例示したものに限定されず、施設等に応じて適宜組分けすることが可能である。
【００２６】
「通信設定に関する項目」には、「ＩＰアドレス」、「無線ＬＡＮ動作設定（親機／子機）」、「無線ＬＡＮ子機設定（ＳＳＩＤ／パスフレーズ）」、「無線ＬＡＮ親機設定（ＳＳＩＤ／パスフレーズ／無線チャネル）」、「所属するコンソールの情報（ＰＣ名、コンソールソフトバージョン、ネットワークＩＤ）」が含まれる。
【００２７】
「施設設置環境に起因する項目」には、「ライセンス情報（パネル自身の使用ライセンスの有無、撮影関連ライセンスの種別、有効期限）」、「撮影室などの使用場所、設置場所、設定された場所から離れたときのアラート出力要否設定」、「自動電源ＯＮ／ＯＦＦ機能の有効・無効」が含まれる。
【００２８】
「撮影に関連した項目」には、「撮影モード設定（連携/非連携）」、「ゲイン補正や欠陥補正の補正用データ（パネルの個体差を補正するための補正係数（例えば、ゲイン補正や欠陥補正のための補正係数）も含む）」、「モード切替ボタン設定（メモリ撮影有効／無効など）」が含まれる。
【００２９】
「操作性や安全性(セキュリティ)、保守性等に関する設定項目」には、「コンソールに表示するパネルアイコンの表示名」、「コンソールに表示するパネルアイコンの背景色」、「制限設定１（照射回数上限、照射線量上限、上限オーバー時のアラート出力要否設定）」、「制限設定２（充電残量の閾値、閾値オーバー時の挙動設定）」、「パネル自身が有する表示部の表示色」、「データ通信時の暗号化設定（暗号化/複合化の種類、暗号化キー、証明書）」、「省電力モード」が含まれる。
【００３０】
このように構成された撮影装置１０のパネル制御部１１は、記憶部１５に記憶された処理プログラムに従って以下のような動作をする。
すなわち、端末装置２０からの指示信号に従って、当該撮影装置１０の設置設定を行う。
また、パネル制御部１１は、放射線検出部１２のスイッチ素子のオンオフを切り替える機能を有している。また、パネル制御部１１は、読出し部１３が読み出した信号値に基づいて放射線画像の画像データを生成する機能を有している。
【００３１】
〔端末装置〕
次に、端末装置２０の詳細について説明する。図３は、端末装置２０の構成を示すブロック図である。
【００３２】
端末装置２０は、図３に示すように、制御部２１、表示部２２、操作部２３、通信部２４、記憶部２５等を備えて構成されており、各部２１〜２５はバス２６によって接続されている。また、図示しない内蔵バッテリーから各部２１〜２５へ電力が供給されるようになっている。
端末装置２０は、携帯電話機やスマートフォン、タブレット端末、ノート型ＰＣ、ヘッドマウントディスプレイ等、ユーザーが携帯あるいは装着することが可能に構成されたものを用いるのが好ましい。
【００３３】
制御部２１は、ＣＰＵ、ＲＡＭ等で端末装置２０の各部の動作を統括的に制御するように構成されている。
具体的には、操作部２３から入力される操作信号に応じて、記憶部２５に記憶されているウェブアプリケーションプログラムを読み出して実行することにより、表示部２２に各種表示信号を送信する。
【００３４】
表示部２２は、ＬＣＤ（Liquid Crystal Display）等のモニターを備えて構成されており、制御部２１から入力される表示信号の指示に従って各種画面を表示するようになっている。
具体的には、表示部２２は、例えば、撮影装置１０の設置設定を行うための設定画面などを表示することが可能となっている。
【００３５】
操作部２３は、各種キーを備えたキーボードやマウス等のポインティングデバイス、あるいは表示部２２に積層されたタッチパネルを備えて構成され、キーボードに対するキー操作やマウス操作、あるいはタッチパネルに対するタッチ操作の位置に応じて入力された操作信号を制御部２１に出力するようになっている。
【００３６】
通信部２４は、ネットワークインターフェース等により構成され、ＬＡＮ、ＷＡＮ、インターネット等の通信ネットワークを介して接続された外部機器（撮影装置１０等）との間でデータ等の送受信を行うようになっている。
【００３７】
このように構成された端末装置２０の制御部２１は、例えば、表示部２２に撮影装置１０の設置設定を行うための設定画面を表示させるようになっている。
また、制御部２１は、設定画面が表示されている状態で所定の指示操作がなされたことを契機として、通信部２４に撮影装置１０に指示信号を送信させるようになっている。
【００３８】
［放射線検出システムの動作］
次に、放射線検出システム１００を構成する撮影装置１０の設置設定処理について説明する。
本実施の形態における放射線検出システム１００は、端末装置２０を用いて、撮影装置１０の施設等への設置設定を可能とするものである。図４は、撮影装置１０の設置設定処理を示すフローチャートである。
【００３９】
なお、前提として、工場出荷時の初期設定状態において、撮影装置１０は、予め定められた規定の動作が可能な状態としておく。すなわち、初期設定状態において、撮影装置１０は、無線通信における親機（アクセスポイント）として動作するためのＳＳＩＤとパスワードが設定されている。インターネットへの接続が可能な状態とされていてもよい。
【００４０】
端末装置２０の制御部２１が、操作部２３を介したユーザー操作に従って、撮影装置１０に対して接続要求信号を送信すると、撮影装置１０のパネル制御部１１は、この接続要求信号を受信する（ステップＳ１）。
【００４１】
次いで、撮影装置１０のパネル制御部１１は、当該撮影装置１０の設置状態を確認し、設置状態が「完了」であるか否かを判断する（ステップＳ２）。
具体的に、制御部２１は、記憶部１５の設置設定情報を参照し、全ての項目の設定が終了しているか否かを判断する。すなわち、全ての項目が「終了」と判断される場合は、設置状態が「完了」であり、「未終了」と判断される項目が一つでもある場合は設置状態が「未完了」であると判断する。
なお、設置設定情報に含まれる項目が組分けされている場合、所定の組の全ての項目が「終了」と判断される場合に、設置状態が「完了」であると判断することとしてもよい。
【００４２】
次いで、設置状態が「完了」の場合（ステップＳ２：ＹＥＳ）、パネル制御部１１は、端末装置２０に接続許可を送信して接続を行い（ステップＳ３）、端末装置２０からの指示に従って所定の動作を行う（ステップＳ４）。例えば、撮影開始などの動作が行われることとなる。
【００４３】
一方、設置状態が「未完了」の場合（ステップＳ２：ＮＯ）、パネル制御部１１は、端末装置２０から接続要求信号に、設置に関する情報が含まれているか否かを判断し（ステップＳ５）、設置に関する情報が含まれない場合（ステップＳ５：ＮＯ）、パネル制御部１１は、端末装置２０に接続拒否信号を送信する（ステップＳ６）。
例えば、撮影に関する情報が含まれている場合などは、設置に関する情報が含まれていないと判断する。このため、設置設定が完了していない状態で、撮影などが開始されるという事態が回避される。
この点、昨今、医師等が撮影装置１０だけ所持して回診に行くケースが増加している。このとき、その撮影装置１０が撮影できるのか事前に確認しないことも多く、撮影装置１０の設置設定が完了していないことに気付かずに持ち出した場合、設置設定が未完了で誤撮影となる可能性がある。そこで、上記ステップＳ２（ＮＯ）、ステップＳ５（ＮＯ）、ステップＳ６の処理によれば、設置設定が未完了の撮影装置１０は通信不可となるので、誤撮影を防ぐことができ、また、ユーザーは対象の撮影装置１０が設置設定が完了していないことを識別できる。
なお、「設置に関する情報」とは、撮影装置１０の設置に関わる情報であることが示されるものであれば良く、例えば、設置設定情報全体でも良いが、設置設定情報の一部のみでも良い。
【００４４】
一方、設置に関する情報が含まれる場合（ステップＳ５：ＹＥＳ）、パネル制御部１１は、端末装置２０に接続許可を送信して接続を行い（ステップＳ７）、受信した設置設定情報に従って撮影装置１０の設定を行う（ステップＳ８）。
次いで、パネル制御部１１は、上記ステップＳ８で設定した項目について「終了」と判断させるための変更を行い（ステップＳ９）、本処理を終了する。
【００４５】
撮影装置１０は、設置状態が「完了」となった後には、設置設定情報（「無線ＬＡＮ動作設定（親機／子機）」）に従って、親機として動作するモード、又は、他の親機に対する子機として動作するモードに設定される。
なお、モードとしては、上記の例に限定されず、例えば、無線通信が無効なモード等に設定されても良い。
【００４６】
なお、設置状態が「未完了」の状態で、撮影装置１０及び／又は端末装置２０の電源がＯＦＦとなった場合、撮影装置１０は、初期設定状態（工場出荷時の状態）に戻ることとしても良い。つまり、設置設定情報に含まれる項目の内容が、初期設定状態に戻る。例えば、端末装置２０の通信が切断した場合などに、初期設定状態に戻ることとなる。
また、パネル制御部１１は、設置設定処理中の端末装置２０を判別し、設置設定処理中には、他の端末装置２０からの通信を許可しない構成とすることもできる。このようにした場合、設置設定が未完了の撮影装置１０は他の端末装置２０に対して通信不可となるので、誤撮影を防ぐことができ、また、ユーザーは対象の撮影装置１０が設置設定が完了していないことを識別できる。
【００４７】
また、設置状態が「完了」の状態で、設置設定情報が送信されてきた場合、パネル制御部１１は、設置状態が「完了」であることを報知することとしても良い。
また、パネル制御部１１は、設置状態が「完了」となった時点で、設置状態が「完了」となったことを報知することとしても良いし、設置状態が「未完了」の状態で処理が中断した場合には、中断した時点でその旨を報知することとしても良い。
報知の手法としては、例えば、端末装置２０の表示部２２にメッセージを表示させても良いし、撮影装置１０から音又は光を発生させるなどでも良い。
【００４８】
［実施の形態の効果］
以上のように、本実施の形態によれば、照射された放射線を検出する撮影装置１０において、無線通信における親機として動作可能なアクセスポイント機能を備え、無線通信における子機として動作可能な端末装置２０と直接無線通信を行い、端末装置２０から送信された、設置に際して所定の設定を行うための設置設定情報を受信する通信部１４と、通信部１４により受信した設置設定情報に従い、当該撮影装置１０の設定を行うパネル制御部１１と、を備える。
このため、撮影装置１０と端末装置２０だけで、撮影装置１０の施設等への設置設定を行うことができる。
よって、専門知識を有さない者であっても、設置設定を容易に行うことが可能となる。
【００４９】
また、本実施の形態によれば、通信部１４により端末装置２０から情報を受信すると、パネル制御部１１は、設置設定が完了しているか否かを判断する。
具体的には、パネル制御部１１は、予め定められた全項目の設定が終了している場合、設置設定が完了していると判断する。
このため、設置設定を確実に行うことができる。
【００５０】
また、本実施の形態によれば、パネル制御部１１は、設置設定が完了していないと判断した場合、端末装置２０から受信した情報が、撮影装置１０の設置設定に関する情報か否かを判断し、設置設定に関する情報でないと判断した場合は、端末装置２０との無線接続を許可しない。
このため、設置設定が未完了の撮影装置１０は他の指示に対して通信不可となり、設置設定完了前の誤撮影を防ぐことができる。また、設置設定が完了するまでその他の指示を拒否することで、設置設定を確実に行うことができる。また、ユーザーは、対象の撮影装置１０が設置設定が完了していないことを識別できる。
【００５１】
また、本実施の形態によれば、パネル制御部１１は、設置設定が完了していないと判断した場合、情報を送信した端末装置２０が、撮影装置１０の設定を実行中の装置であるか否かを判断し、撮影装置１０の設定を実行中の装置でないと判断した場合は、当該装置との無線接続を許可しない。
このため、設置設定が未完了の撮影装置１０は他の装置からの指示に対して通信不可となり、設置設定完了前の誤撮影を防ぐことができる。また、設置設定が完了するまで、他の装置からの指示を拒否することで、設置設定を確実に行うことができる。また、ユーザーは、対象の撮影装置１０が設置設定が完了していないことを識別できる。
【００５２】
また、本実施の形態によれば、パネル制御部１１は、設置設定が完了した後、設置設定情報に従って、放射線画像撮影装置１０の動作モードを、親機として動作するモード、他の親機に対する子機として動作するモード、或いは、無線通信が無効なモードのいずれかに設定する。
このため、運用上、放射線画像撮影装置１０を効率よく使用することができる。
【００５３】
なお、本発明を適用可能な実施の形態は、上述した実施の形態に限定されることなく、本発明の趣旨を逸脱しない範囲で適宜変更可能である。
【００５４】
例えば、上記実施の形態においては、端末装置２０は撮影装置１０の設置設定にのみ用いるものであったが、図５に示すように、撮影装置１０と、端末装置２０とで構成された放射線検出システム１００Ａとし、端末装置２０は、設置設定に用いられるとともに、設置設定完了後にはコンソールとして機能させる構成としてもよい。
【００５５】
また、上記実施の形態においては、放射線画像撮影装置１０の設置設定を行う場合を例示して説明したが、放射線画像撮影装置１０以外にも、コンソールなどの電子機器の設置設定を行うこともできる。
【符号の説明】
【００５６】
１０  放射線画像撮影装置
１１  パネル制御部（設定部、判断部、モード設定部）
１２  放射線検出部
１３  読出し部
１４  通信部
１５  記憶部
１６  バス
２０  端末装置
２１  制御部
２２  表示部
２３  操作部
２４  通信部
２５  記憶部
２６  バス
３０  コンソール
１００、１００Ａ  放射線検出システム
【図１】
2020185367.tif 000003
【図２】
2020185367.tif 000004
【図３】
2020185367.tif 000005
【図４】
2020185367.tif 000006
【図５】
2020185367.tif 000007